(57)【要約】【課題】バック本体の下方に汎用性のある魚釣用ビクを着脱自在に吊り下げ可能とした魚釣用バックを提供することである。【解決手段】魚釣用バック１はバック本体２の両側の下側に下方に向けて汎用性のある魚釣用ビク４の係止リング３に係合用の係止環５が取り付けられ、係止リング３と係止環５でバック本体２と魚釣用ビク４が一体化される。バック本体２から魚釣用ビク４が分離された時は、魚釣用ビク４の係止リング３に魚釣用ビク装着用ベルト９の両端に取り付けられた係止環５が係合される。一般の汎用性のある魚釣用ビク４には係止リング３が取り付けられた商品が多いのでこの係止リング３に係止環５を係合することでバック本体２と汎用性のある魚釣用ビク４を一体化することが出来る。【選択図】        図１
2004159598.tif 000002
【特許請求の範囲】
【請求項１】
肩掛けベルトを有するバック本体の両側の下側に下方に向けて魚釣用ビクの係止リングに係合可能な係止環を取り付けたことを特徴とする魚釣用バック。
【請求項２】
バック本体はその下方に魚釣用ビクを有し、前記魚釣用ビクは、該魚釣用ビクに設けた係止リングに前記バック本体の係止環を係合することで吊り下げ可能とすると共に該係止リングに魚釣用ビク装着用ベルトを係止可能としたことを特徴とする請求項１記載の魚釣用バック。
【発明の詳細な説明】
【０００１】
【発明の属する技術分野】
本発明は、バック本体の下方に係止リングを有する汎用性のある魚釣用ビクを吊り下げ可能とした魚釣用バックの改良に関する。
【０００２】
【従来の技術】
【特許文献１】実開平５−４５１８３号公報
【０００３】
【特許文献１】には、バック本体の下方にビクとして使用可能な収納具が係合チャックで着脱自在に取り付けられている。
【０００４】
従来特に渓流釣等では多くの荷物を持って長い距離を歩かなければならないことがありリュックが利用され、魚を入れるビクなどはリュックに入れるか、肩掛けバンドで吊り下げていた。
又、釣場移動の時にビクを肩掛けバンドで身体の前側に吊り下げて歩くのは歩行の邪魔になる欠点があり、特許文献１のようにバック本体の下方にビクとして使用可能な収納具が係合チャックで着脱自在に取り付けられていた。
しかし、バック本体の下方に係合チャックで着脱自在にビクとして使用可能な収納具が着脱自在に取り付けられる構成では、バック本体の係合チャックと係合するチャックを設けた専用の魚釣用ビクが必要であり、他の魚釣用ビクを使用することが出来ない。
【０００５】
【発明が解決しようとする課題】
解決しようとする課題は、特許文献１のようにバック本体の下方に係合チャックで着脱自在にビクとして使用可能な収納具が着脱自在に取り付けられる構成では、専用の魚釣用ビク以外の他の魚釣用ビクを使用することが出来ないことである。
【０００６】
本発明の目的は前記欠点に鑑み、バック本体の下方に専用の魚釣用ビク以外の魚釣用ビクを着脱自在に吊り下げ可能とした魚釣用バックを提供することである。
【０００７】
【課題を解決するための手段】
上記課題を解決するために、
請求項１に係わる本発明は、肩掛けベルトを有するバック本体の両側の下側に下方に向けて魚釣用ビクの係止リングに係合可能な係止環を取り付けたことを要旨とするものである。
請求項２に係わる本発明は、バック本体はその下方に魚釣用ビクを有し、前記魚釣用ビクは、該魚釣用ビクに設けた係止リングに前記バック本体の係止環を係合することで吊り下げ可能とすると共に該係止リングに魚釣用ビク装着用ベルトを係止可能としたことを要旨とするものである。
【０００８】
【発明の実施の形態】
請求項１の発明により、一般の汎用性のある魚釣用ビク４の係止リング３、３にバック本体２の係止環５、５を係合することで、一体化することが出来てバック本体２に合致した特定の魚釣用ビクを使用する必要がなくなる。
係止リング３、３と係止環５、５の係合離脱可能なのでバック本体２と魚釣用ビク４の一体化と分離作業が容易である。
請求項２の発明により、バック本体２と魚釣用ビク４の一体化と魚釣用ビク４に魚釣用ビク装着用ベルト９を取り付ける連結媒体が係止リング３、３と係止環５、５で同一であるからコストの低減が図れる。
【０００９】
【実施例】
以下、図示の一実施例によって本発明を説明すると、図１は魚釣用バックの斜視図、図２はバック本体と魚釣用ビクが分離された分解斜視図、図３は魚釣用バックの背面斜視図、図４は魚釣用ビクの外ケ−スと内側容器が分離された分解斜視図、図５は魚釣用バックを背負った説明図、図６はバック本体を背負って魚釣用ビクを魚釣用ビク装着用ベルトで吊り下げた説明図である。
【００１０】
魚釣用バック１はバック本体２の下側に係止リング３を有する一般の汎用性のある魚釣用ビク４が着脱自在に取り付けられる。
図面では魚釣用ビク４の形状はバック本体２の形状と連続する形状に図示されている。
汎用性のある魚釣用ビク４には係止リング３が取り付けられた商品が多いのでこの係止リング３に係止環５を係合することでバック本体２と汎用性のある魚釣用ビク４を一体化することが出来る。
【００１１】
バック本体２の両側２ａ、２ｂの下側に下方に向けて魚釣用ビク４の係止リング３に係合可能な係止環５、５が取り付けられている。
バック本体２の正面２ｃには上蓋２ｄの止め具１０、１０と小物入れ１１が固定され、正面２ｃの下端側に係止具１２が取り付けられている。
バック本体２の背当たり側２ｅの上下に左右の肩掛けベルト６、６の端が夫々固定されている。
バック本体２の背当たり側２ｅの下端には係合チャック１３で袋の口が閉じられ、袋の中にベルト１４が収納可能になっている。
ベルト１４の先端には係止具１２と係合される係止具１５が固定されている。背当たり側２ｅは緩衝材の合成樹脂発泡材を直接又は布で挟んで形成されている。
上蓋２ｄにはバンド１６が固定されて止め具１０に係止されている。
【００１２】
魚釣用ビク４は図４のように断熱材の合成樹脂発泡材からなる内側容器７と容器を包み込む外ケ−ス８の組み合わせで構成されて蓋部８ａが係合チャック１７で閉じられるように形成されている。
容器７と外ケ−ス８はベルベット式ファスナ−１８、１９で抜け止めされている。
外ケ−ス８の蓋部８ａには図２のように魚投入孔８ｂとその蓋８ｃが設けられている。
外ケ−ス８の両側８ｄ、８ｅの上側に係止リング３、３が取り付けられている。
外ケ−ス８の正面８ｆには小物入れ２０が固定されている。
係止リング３、３には前記のようにバック本体２の係止環５、５が係合される他、バック本体２から魚釣用ビク４が分離された時、魚釣用ビク装着用ベルト９の両端に取り付けられた係止環５、５が係合される。
【００１３】
魚釣用バック１を携帯して釣場を移動する時には図１、図５のように、係止リング３、３と係止環５、５が係合されてバック本体２と魚釣用ビク４が一体化されて背負われる。
この時ベルト１４の先端の係止具１２と係止具１５を係合することで魚釣用ビク４が保持されるため歩行で搖れることが防止される。
また、魚釣用ビク４の上面に設けられた魚投入孔８ｂがバック本体２の底面に向い合うため魚投入孔８ｂから内部の魚が出てしまうことがない。
釣りが行われている時には図６のように、バック本体２と魚釣用ビク４が分離されてバック本体２は背負われ、魚釣用ビク４は肩に掛けて身体に装着するための魚釣用ビク装着用ベルト９で吊り下げられて仕掛けに掛かった魚が素早く魚釣用ビク４に取り込まれる。
【００１４】
前記のように魚釣用バック１が構成されると、汎用性のある魚釣用ビク４の係止リング３、３にバック本体２の係止環５、５を係合することで、一体化することが出来てバック本体２に合致した特定の魚釣用ビクを使用する必要がなくなる。
係止リング３、３と係止環５、５の係合離脱なのでバック本体２と魚釣用ビク４の一体化と分離作業が容易である。
バック本体２と魚釣用ビク４の一体化と魚釣用ビク４に魚釣用ビク装着用ベルト９を取り付ける連結媒体が係止リング３、３と係止環５、５で同一であるからコストの低減が図れる。
【００１５】
【発明の効果】
本発明は、以上説明したような形態で実施され、以下に記載されるような効果を奏する。
【００１６】
請求項１により、一般の汎用性のある魚釣用ビクの係止リングにバック本体の係止環を係合することで、一体化することが出来てバック本体に合致した特定の魚釣用ビクを使用する必要がなくなる。
係止リングと係止環の係合離脱なのでバック本体と魚釣用ビクの一体化と分離作業が容易である。
請求項２により、バック本体と魚釣用ビクの一体化と魚釣用ビクに魚釣用ビク装着用ベルトを取り付ける連結媒体が係止リングと係止環で同一であるからコストの低減が図れる。
【図面の簡単な説明】
【図１】魚釣用バックの斜視図である。
【図２】バック本体と魚釣用ビクが分離された分解斜視図である。
【図３】魚釣用バックの背面斜視図である。
【図４】魚釣用ビクの外ケ−スと内側容器が分離された分解斜視図である。
【図５】魚釣用バックを背負った説明図である。
【図６】バック本体を背負って魚釣用ビクを魚釣用ビク装着用ベルトで吊り下げた説明図である。
【符号の説明】
１  魚釣用バック
２  バック本体
３  係止リング
４  魚釣用ビク
５  係止環
６  肩掛けベルト
９  魚釣用ビク装着用ベルト
【図１】
2004159598.tif 000003
【図２】
2004159598.tif 000004
【図３】
2004159598.tif 000005
【図４】
2004159598.tif 000006
【図５】
2004159598.tif 000007
【図６】
2004159598.tif 000008